【事件の表示】
　平成１１年特許願第５２５９６９号「送信装置及び方法、受信装置及び方法」拒絶査定不服審判事件〔平成１１年　５月２０日国際公開、ＷＯ９９／２５０８２〕について、次のとおり審決する。
【結　論】
　本件審判の請求は、成り立たない。
【理　由】
第１　手続の経緯
　本願は、平成１０年１１月１０日（優先権主張平成９年１１月１１日、平成９年１１月２８日、日本国）を国際出願日とする出願であって、平成２０年１０月７日付けで拒絶査定がされ（発送日：同年１０月２１日）、これに対して同年１１月２０日に拒絶査定不服審判が請求がされるとともに、同年１２月２２日付けで手続補正がなされたものである。
　
　
第２　平成２０年１２月２２日付けの手続補正についての補正却下の決定
［補正却下の結論］
　平成２０年１２月２２日付けの手続補正（以下、「本件補正」という。）を却下する。
　
［理由］
１．本願補正発明
　本件補正により、特許請求の範囲の請求項１は、
「複数のオーディオチャンネル放送
は各チャンネルにおいて所定期間同一の楽曲を繰り返して送信し、当該オーディオチャンネル放送
　上記オーディオチャンネル放送に関連する、少なくとも楽曲名およびアーティスト名の一方を含むオーディオ放送情報画面を形成するためディジタルデータを提供するデータ提供手段と、
　上記オーディオチャンネル素材提供手段で送信されるオーディオデータより高音質であると共に所定の圧縮方式で圧縮されたダウンロード用オーディオデータを提供するダウンロード用オーディオデータ提供手段と、
　所定のキー情報を用いて上記ダウンロード用オーディオデータを暗号化する暗号化手段と、
　上記複数のオーディオ放送を行うためのオーディオディジタルデータと、上記送信しているオーディオ放送に関連する上記オーディオ放送情報画面を形成するためのディジタルデータと、上記暗号化されたダウンロード用オーディオデータとを多重化する多重化手段と、
　上記多重化されたデータを送信する送信手段と
を備え、
　受信側において、所定の楽曲が選択された際にその楽曲に対応する上記ダウンロード用オーディオデータのダウンロードを可能とする送信装置。」
と補正された。（下線は、補正箇所を示す。）
　
　上記補正は、請求項１に記載した発明を特定するために必要な事項である「複数のオーディオチャンネル放送を行うための素材として、オーディオディジタルデータを提供する複数のオーディオチャンネル素材提供手段」について、「複数のオーディオチャンネル放送は各チャンネルにおいて所定期間同一の楽曲を繰り返して送信し」との限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
　
２．引用発明
　原査定の拒絶の理由で引用された、本願の優先日前である平成３年１月３１日に公開された特表平３−５００４７６号公報（以下、「引用例」という。）には、図面と共に、次の事項が記載されている（下線は当審にて付与。）
　
（１）　「２．従来技術の説明
　レコード産業は大衆に供給するため、極めて大量のレコード物を生産している。レコード産業の旧来の配給及び企画システムにおいてはレコード物を購入に先立って一般消費者が試聴できるのは、それらの極少数部分のみであった。このようなレコード産業の配給システムは、比較的少数のレコード作品のみをセロハンで包装し、顧客の購入に向けて小売販路に送り出すことができる。顧客はアーチストに親密であるか、又はラジオもしくはテレビにおいてレコーディングを聴くかしなければ、セロハン包装されたものの中身が何であるかわからず、そのレコーディングを試聴する機会にも恵まれない。その結果、市場的に質の高い音楽が大量に購入されないまますたれていくことになる。
　有線テレビジョンの出現は予備レコードされたフィルム、及び他のテレビジョンプログラムが有料鑑賞方式において大衆に供給されることを可能にした。これらの有料鑑賞システムは、比較的多くの視聴者が所定の時間において選択的にプログラムに同調して鑑賞できるようにする。このような有料鑑賞システムは、予備レコードされた音楽については未に存在していない。これは比較的多種多様な予備レコード音楽を有料鑑賞方式において、このような演芸に対する支払いに興味を示すであろう多数の顧客に対して経済的に配給する方法が存在しないからである。
　したがって、
一般消費者に予備レコードされた音楽を配給するための有料鑑賞システム
　
（２）　「発明の要約
　本発明は、一般消費者に対し予備レコードされた演目を供給するためのシステムに関するものである。このシステムは完結した音楽作品及びこれら音楽作品のハイライト部分又は試聴用部分からなる予備レコード芸能の資源を含んでいる。これらの資源はオペレータにとって受入れ容易な予備レコード音楽芸能を形成するために、コンパクトディスクマスタ設備又はカート複製設備を用いるものである。
オペレータは同軸ケーブルのネットワークに接続された再生設備を有
同軸ケーブルはオペレータを各加入者に接続するものであ
各加入者は完結した音楽作品の試聴用部分を受信することができる受信機を有
加入者が完結した音楽作品のレコーディングを要求するときは、彼がそのデータをキーボードにおいて打ち込み、受信機が所望の選択をレコードする
この選択された音楽作品のレコーディングに関するサービス料金は自動的に加入者に請求される
　
（３）　「資源（１０）は
本発明の好ましい実施例においては、予備レコードされた音楽作品であるところの予備レコード演芸物
　
（４）　「第３図を参照すると、ブロック線図はレコードされた演芸物の配給とそのようなサービスに対する加入者の支払いの方法が示されている。
同軸ケーブルはＭＯＳ（１２）
を各加入者の位置に設けられたケーブルコントローラ（１３）に接続
２データチャンネル、６モノーラルチャンネル、及び６ステレオチャンネルを支持することができ
　
（５）　「第４図を参照すると、ブロック線図は
予備レコードされた演芸物を配給するためのシステムオペレータ（１１）の設備（３０）
ＣＡＤＡトランシーバ（４０）を備え
このトランシーバ（４０）は
現存するケーブルシステムの範囲内でディジタルオーディオの転送及びデータ転送を行うことができるものであ
６ＭＨｚ幅のチャンネル内において全部で３２のモノーラル又はデータチャンネルと、８本の８ビツトステレオチャンネルと、４本の１６ビツトディジタルステレオチャンネル、又は１２８本のディジタルチャンネル、もしくはそれらの適当な組合せとしてデータ転送することかでき
　設備は
レコードされた演芸物の試供部を再生する複数のカート機（３１）〜（３６）を含
カート機（３１）〜（３６）の出力はＣＡＤＡ
トランシーバ（４０）に加えられるモノーラルオーディオ出力であ
ＣＡＤＡトランシーバ（４０）はさらに、コンパクトディスク機（４１）〜（４６）よりステレオオーディオ信号型において入力を受信
これらのステレオオーディオ信号は、レコーディングのため加入者に配給される予備レコード演芸物の完結作品を含んで
オーディオメニュー（６０）はＴＶ（１５）に伝達され
　選択的に第２のＣＡＤＡトランシーバが必要に応じて付加的なデータを送信するために採用される。」（引用例３ページ右下欄１８行−４ページ左上欄２０行）
　
（６）　「本発明の動作において、ディジタルオーディオの４ステレオ対（８モノーラル）の最少数が割り当てられたチャンネルにおいて、同軸ケーブルを介して同時に伝達される、加入者の受信機（１００）においてオーディオカセット又はＣＤ上に独立して選択され、かつ記録される。
ディジタル信号はビデオ信号と一体化され、これにより有料鑑賞チャンネルが選択されたときは選択メニュー及び／又は広告がテレビジョン（１５）のスリーン
上に現れ
アナログカート機は各アルバム選択から得られたハイライト部分の３分間試供ループを連続的に再生するものであ
したがって、顧客は購入する前において、選択的な試供部を鑑賞することができ
　コントローラ（１３）は、加入者の主チャンネルセレクタ又はケーブルテレビジョンに信号供給する主同軸ケーブルの分割信号供給を受信するものである。コントローラ（１３）及び受信機（１００）は、まず、ディジタルオーディオ信号を送信する適当なチャンネルに対しｒｆビデオデコーダ（１０４）により内部セットされる。
受信機（１００）の傷つき易い電子回路のすべてはシールされるため、露出し又は不正に変更されることが阻止され
　
加入者はテレビジョン（１５）をオンにし、かつ主ケーブルセレクタを有料鑑賞チャンネルに切換えることにより、本発明の装置を動作させるものであ
レコード選択のメニューはテレビジョンスクリーンに現れ
加入者はテレビジョンメニュー上で選択したものを、試供キーパッド（１３７）上の各選択部に対応する妥当な数字を押圧することにより試供内容を再生させ
　加入者はプログラムキーパッド（１３８）を用いてＰＩＮ（個人認識番号）キーを押し、彼のＰＩＮを打ち込む。このＰＩＮ番号は窓（１１８）に１５秒間現れる。次に、加入者は彼のクレジットカードを受信機（１００）の底部におけるスロット（１６９）内に投入する。ここで、加入者は購入キー（１３６）を押し、約１０〜１５秒間待機する。この期間中において、ＰＩＮキー（１３５）内の赤ランプか閃光を発し、加入者が購入を中断することなく彼の電話器を使用できないことを指示する。適当な財源が加入者の当座預金において存在しない場合（当審注：「存在しない場合」は「存在する場合」の誤記と認める。）、選択の余地はなくなり、“Ｔｈａｎｋ　Ｙｏｕ”ライト（１１１ａ）が“Ｒｅｃｏｒｄ”及び“Ｐａｕｓｅ”指示灯（ｌｌｌｂ）、（ｌｌｌｃ）と同時に点灯する。加入者はこの時点においてレコーディングが完了するまでは別の選択を実行し、又は受信機（１００）から彼のカセット又はＣＤを抜き出すことはできない。加入者はさらに、レコーディング中試供目的物を鑑賞することもできない。十分な財源が得られない場合、“Ｃｈａｎｇｅ　Ｎｅｅｄｅｄ”ライト（ｌｌｌｄ）が点灯し、加入者は適当な財源が彼の口座に振り込まれるまで選択を記録することができない。」（引用例５ページ左上欄１２行−右下欄９行）
　
（７）　第４図には、ＣＡＤＡトランシーバ（４０）が、クロック(５３)とタイムコード発生器（５４）からのデータ信号と、カート１（３１）−カート６（３６）からの試供目的物モノーラルオーディオ信号、ＣＤ１（４１）−ＣＤ６（４６）からのプログラムステレオオーディオ信号、選択メニュー（６０）からのビデオ信号を受信して、ＭＳＯ（１２）へ送信することが記載されていると認定できる。
　
　これらの記載から、引用例には、次の発明（以下、「引用発明」という。）が記載されていると認められる。
　
「オペレータは同軸ケーブルのネットワークに接続された設備を有し、
　同軸ケーブルはオペレータを各加入者に接続するものであり、
　各加入者は完結した音楽作品の試聴用部分を受信することができる受信機を有し、
　加入者が完結した音楽作品のレコーディングを要求するときは、彼がそのデータをキーボードにおいて打ち込み、受信機が所望の選択をレコードするものであって、この選択された音楽作品のレコーディングに関するサービス料金は自動的に加入者に請求される、
　一般消費者に予備レコードされた音楽を配給するための有料鑑賞システムにおいて、
　予備レコードされた音楽作品を配給するためのシステムオペレータ（１１）の再生設備（３０）は、
　ＣＡＤＡトランシーバ（４０）を備え、このトランシーバ（４０）は、現存するケーブルシステムの範囲内でディジタルオーディオの転送及びデータ転送を行うことができるものであって、６ＭＨｚ幅のチャンネル内において全部で３２のモノーラル又はデータチャンネルと、８本の８ビツトステレオチャンネルと、４本の１６ビツトディジタルステレオチャンネル、又は１２８本のディジタルチャンネル、もしくはそれらの適当な組合せとしてデータ転送することができ、
　レコードされた音楽作品の試供部を再生する複数のカート機（３１）〜（３６）を含み、カート機（３１）〜（３６）の出力はＣＡＤＡトランシーバ（４０）に加えられるモノーラルオーディオ出力であり、アナログカート機は各アルバム選択から得られたハイライト部分の３分間試供ループを連続的に再生するものであり、したがって、顧客は購入する前において、選択的な試供部を鑑賞することができ、
　ＣＡＤＡトランシーバ（４０）はさらに、コンパクトディスク機（４１）〜（４６）よりステレオオーディオ信号型において入力を受信し、これらのステレオオーディオ信号は、レコーディングのため加入者に配給される予備レコード音楽作品の完結作品を含んでおり、
　ＣＡＤＡトランシーバ（４０）は、データ信号と、カート１（３１）−カート６（３６）からの試供目的物モノーラルオーディオ信号、ＣＤ１（４１）−ＣＤ６（４６）からのプログラムステレオオーディオ信号、選択メニュー（６０）からビデオ信号を受信して、ＭＳＯ（１２）へ転送するものであって、
　オーディオメニュー（６０）はＴＶ（１５）に伝達されるものであり、
　ＭＳＯ（マルチシステムオペレータ）（１２）を各加入者の位置に設けられたケーブルコントローラ（１３）に接続する同軸ケーブルは２データチャンネル、６モノーラルチャンネル、及び６ステレオチャンネルを支持することができ、
　ディジタル信号はビデオ信号と一体化され、これにより有料鑑賞チャンネルが選択されたときは選択メニュー及び／又は広告がテレビジョン（１５）のスクリーン上に現れ、
　受信機（１００）の傷つき易い電子回路のすべてはシールされるため、露出し又は不正に変更されることが阻止され、
　加入者はテレビジョン（１５）をオンにし、かつ主ケーブルセレクタを有料鑑賞チャンネルに切換えることにより、本発明の装置を動作させるものであり、
　レコード選択のメニューはテレビジョンスクリーンに現れ、
　加入者はテレビジョンメニュー上で選択したものを、試供キーパッド（１３７）上の各選択部に対応する妥当な数字を押圧することにより試供内容を再生させる、
　一般消費者に予備レコードされた音楽を配給するための有料鑑賞システム。」
　
　
３．対比
　本願補正発明と引用発明とを対比する。
　
（１）　本願補正発明の「オーディオチャンネル素材提供手段」について
　引用発明のオペレータの設備（３０）のうち、レコードされた音楽作品の試供部を再生する、「複数のカート機（３１）〜（３６）」は、カート１（３１）−カート６（３６）からの試供目的物モノーラルオーディオ信号が、ＣＤ１（４１）−ＣＤ６（４６）からのプログラムステレオオーディオ信号などと共にＣＡＤＡトランシーバ（４０）に加えられて、ＭＳＯ（マルチシステムオペレータ）（１２）へ転送され、さらに、２データチャンネル、６モノーラルチャンネル、及び６ステレオチャンネルを転送できる同軸ケーブルを介して、ＭＳＯ（１２）から各加入者の位置に設けられたケーブルコントローラ（１３）に接続されることにより、同軸ケーブルに接続された各加入者の位置において、「加入者はテレビジョンメニュー上で選択したものを、試供キーパッド（１３７）上の各選択部に対応する妥当な数字を押圧することにより試供内容を再生させ」、「したがって、顧客は購入する前において、選択的な試供部を鑑賞すること」が実現されるから、本願補正発明の、複数のオーディオチャンネル放送を行うための素材として、オーディオデータを提供する「オーディオチャンネル素材提供手段」に対応する。
　引用発明の「複数のカート機（３１）〜（３６）」は、「各アルバム選択から得られたハイライト部分の３分間試供ループを連続的に再生する」から、「複数のオーディオチャンネル放送は各チャンネルにおいて所定期間、音楽を繰り返して送信」するといえる。
　よって、引用発明の「複数のカート機（３１）〜（３６）」は、本願補正発明の「複数のオーディオチャンネル放送は各チャンネルにおいて所定期間同一の楽曲を繰り返して送信し、当該オーディオチャンネル放送を行うための素材として、オーディオディジタルデータを提供する複数のオーディオチャンネル素材提供手段」と、「複数のオーディオチャンネル放送は各チャンネルにおいて所定期間、音楽を繰り返して送信し、当該オーディオチャンネル放送を行うための素材として、オーディオのデータを提供する複数のオーディオチャンネル素材提供手段」である点で一致するといえる。
　
（２）　本願補正発明の「データ提供手段」について
　引用発明のオペレータの設備（３０）における「オーディオメニュー（６０）」は、加入者側の「ＴＶ（１５）に伝達される」ものであって、「加入者はテレビジョン（１５）をオンにし、・・・レコード選択のメニューはテレビジョンスクリーンに現れ、加入者はテレビジョンメニュー上で選択したものを、試供キーパッド（１３７）上の各選択部に対応する妥当な数字を押圧することにより試供内容を再生させ」るものであるから、本願補正発明の「上記オーディオチャンネル放送に関連する、少なくとも楽曲名およびアーティスト名の一方を含むオーディオ放送情報画面を形成するためディジタルデータを提供するデータ提供手段」と、「上記オーディオチャンネル放送に関連する、オーディオ放送情報画面を形成するためデータを提供するデータ提供手段」である点で一致するといえる。
　
（３）　本願補正発明の「ダウンロード用オーディオデータ提供手段」について
　引用発明のオペレータの設備（３０）における「コンパクトディスク機（４１）〜（４６）」は、「ＣＡＤＡトランシーバ（４０）はさらに、コンパクトディスク機（４１）〜（４６）よりステレオオーディオ信号型において入力を受信し、これらのステレオオーディオ信号は、レコーディングのため加入者に配給される予備レコード音楽作品の完結作品を含んで」いるから、「予備レコード音楽作品の完結作品」を、ＣＡＤＡトランシーバと同軸ケーブルを介して加入者に配給して、これが受信機で録音されるものであって、本願補正発明の「上記オーディオチャンネル素材提供手段で送信されるオーディオデータより高音質であると共に所定の圧縮方式で圧縮されたダウンロード用オーディオデータを提供するダウンロード用オーディオデータ提供手段」と、「ダウンロード用オーディオデータを提供するダウンロード用オーディオデータ提供手段」である点で一致するといえる。
　
（４）　本願補正発明の「多重化手段」と「送信手段」とについて
　引用発明のオペレータの設備（３０）における「ＣＡＤＡトランシーバ（４０）」は、「現存するケーブルシステムの範囲内でディジタルオーディオの転送及びデータ転送を行うことができるものであり、６ＭＨｚ幅のチャンネル内において全部で３２のモノーラル又はデータチャンネルと、８本の８ビツトステレオチャンネルと、４本の１６ビツトディジタルステレオチャンネル、又は１２８本のディジタルチャンネル、もしくはそれらの適当な組合せとしてデータ転送することかでき」、「カート機（３１）〜（３６）の出力はＣＡＤＡトランシーバ（４０）に加えられるモノーラルオーディオ出力であり」、「ＣＡＤＡトランシーバ（４０）はさらに、コンパクトディスク機（４１）〜（４６）よりステレオオーディオ信号型において入力を受信」するものであって、「同軸ケーブルは２データチャンネル、６モノーラルチャンネル、及び６ステレオチャンネルを支持することができ」と記載されることから、引用発明のＣＡＤＡトランシーバ（４０）は、６ＭＨｚ帯域上に、３２本のモノーラル又はデータチャンネル、又は、８本の８ビットステレオチャンネル、４本の１６ビットステレオチャンネル、１２８本のディジタルチャンネル、もしくは、それらの組合せを、ディジタルオーディオ又はデータ信号として、多重化するものと認められる。また、多重化の具体例としては、２本のデータチャンネル及び６本のモノーラルチャンネルと、６本のステレオチャンネルとを組合せて多重化できると認められる。
　さらに、引用発明において、「ディジタル信号はビデオ信号と一体化され」るものであって、上記２（７）（第４図）の記載から、引用発明のＣＡＤＡトランシーバ（４０）は、データ信号と、カート１（３１）−カート６（３６）からの「試供目的物モノーラルオーディオ」、ＣＤ１（４１）−ＣＤ６（４６）からの「プログラムステレオオーディオ」と共に、「選択メニュー（６０）」から「ビデオ」を受信して、ＭＳＯ（１２）へ転送するから、「ＣＡＤＡトランシーバ（４０）」からＭＳＯ（１２）への同軸ケーブル上で、選択メニュー（６０）すなわち「オーディオメニュー（６０）」も多重化されると認められる。
　よって、引用発明の「ＣＡＤＡトランシーバ（４０）」は、本願補正発明の「上記複数のオーディオ放送を行うためのオーディオディジタルデータと、上記送信しているオーディオ放送に関連する上記オーディオ放送情報画面を形成するためのディジタルデータと、上記暗号化されたダウンロード用オーディオデータとを多重化する多重化手段」と、「上記複数のオーディオ放送を行うためのオーディオのデータと、上記送信しているオーディオ放送に関連する上記オーディオ放送情報画面を形成するためのデータと、上記ダウンロード用オーディオデータとを多重化する多重化手段」である点で一致する。
　
　また、引用発明の「ＣＡＤＡトランシーバ（４０）」は、オペレータの設備から、同軸ケーブルを介して、各加入者の受信機へデータ転送するものであるから、「上記多重化されたデータを送信する送信手段」を備えると認められる。
　
（５）　本願補正発明の「送信装置」について
　引用発明の「予備レコードされた音楽作品を配給するためのシステムオペレータ（１１）の設備（３０）」は、本願補正発明の「送信装置」に対応する。
　引用発明の「設備（３０）」は、「加入者が完結した音楽作品のレコーディングを要求するときは、彼がそのデータをキーボードにおいて打ち込み、受信機が所望の選択をレコード」するものであるから、本願補正発明の「受信側において、所定の楽曲が選択された際にその楽曲に対応する上記ダウンロード用オーディオデータのダウンロードを可能とする送信装置。」と、「受信側において、所定の音楽の作品が選択された際にその音楽の作品に対応する上記ダウンロード用オーディオデータのダウンロードを可能とする送信装置。」である点で一致する。
　
　したがって、両者の一致点、相違点は以下のとおりである。
　
［一致点］
「複数のオーディオチャンネル放送は各チャンネルにおいて所定期間、音楽を繰り返して送信し、当該オーディオチャンネル放送を行うための素材として、オーディオのデータを提供する複数のオーディオチャンネル素材提供手段と、
　上記オーディオチャンネル放送に関連する、オーディオ放送情報画面を形成するためデータを提供するデータ提供手段と、
　ダウンロード用オーディオデータを提供するダウンロード用オーディオデータ提供手段と、
　上記複数のオーディオ放送を行うためのオーディオのデータと、上記送信しているオーディオ放送に関連する上記オーディオ放送情報画面を形成するためのデータと、上記ダウンロード用オーディオデータとを多重化する多重化手段と、
　上記多重化されたデータを送信する送信手段と
を備え、
　受信側において、所定の音楽の作品が選択された際にその音楽の作品に対応する上記ダウンロード用オーディオデータのダウンロードを可能とする送信装置。」である点。
　
［相違点１］
　本願補正発明の「オーディオチャンネル素材提供手段」は、所定期間「同一の楽曲を」繰り返して送信するものであって、オーディオ「ディジタル」データを提供して、これを多重化手段で多重化するのに対して、引用発明の「カート機（３１）〜（３６）」は、「各アルバム選択から得られたハイライト部分の３分間試供ループを連続的に再生する」ことは記載があるものの、カート機が、所定期間「同一の楽曲を」繰り返して送信すること、カート機が、オーディオ「ディジタル」データを提供して、これを多重化手段で多重化することは、記載がない点。
　
［相違点２］
　本願補正発明の「データ提供手段」は、「少なくとも楽曲名およびアーティスト名の一方を含む」、「ディジタル」データを提供するものであり、また、本願補正発明の「多重化手段」は、オーディオ放送情報画面を形成するための「ディジタル」データを多重化するのに対して、引用発明の「選択メニュー（６０）」は、選択メニューの具体的情報項目の記載が無く、「ビデオ信号」を提供するものであって、「少なくとも楽曲名およびアーティスト名の一方を含む」、「ディジタル」データを提供することは記載がなく、また、引用発明の「ＣＡＤＡトランシーバ（４０）」が、「オーディオメニュー（６０）」を「ディジタル」データとして多重化することは、記載がない点。
　
［相違点３］
　本願補正発明の「ダウンロード用オーディオデータ提供手段」は、「上記オーディオチャンネル素材提供手段で送信されるオーディオデータより高音質であると共に所定の圧縮方式で圧縮された」データを提供するのに対して、引用発明の「コンパクトディスク機（４１）〜（４６）」からのステレオオーディオ信号が、カート機（３１）〜（３６）のモノーラルオーディオ出力より高音質であること、圧縮されたものであることは、記載がない点。
　
［相違点４］
　本願補正発明は、所定のキー情報を用いて上記ダウンロード用オーディオデータを暗号化する「暗号化手段」を備えており、また、本願補正発明の「多重化手段」は、「暗号化された」ダウンロード用オーディオデータを多重化するのに対して、引用発明は、レコーディングのため加入者に配給されるステレオオーディオ信号の「暗号化手段」について記載がなく、また、「ＣＡＤＡトランシーバ（４０）」が、「暗号化された」ステレオオーディオ信号として多重化することは、記載されていない点。
　
［相違点５］
　本願補正発明の「送信装置」は、受信側において、所定の「楽曲」が選択された際にその「楽曲」に対応する上記ダウンロード用オーディオデータのダウンロードを可能とするのに対して、引用発明の「予備レコードされた音楽作品を配給するためのシステムオペレータ（１１）の設備（３０）」は、受信機において「音楽作品」を選択してレコードするものであって、これが「楽曲」であることは明記されていない点。
　
　
４．相違点についての判断
［相違点１、相違点５について］
　引用例の上記２（１）に、「レコード産業は大衆に供給するため、極めて大量のレコード物を生産している。レコード産業の旧来の配給及び企画システムにおいてはレコード物を購入に先立って一般消費者が試聴できるのは、それらの極少数部分のみであった。・・・顧客はアーチストに親密であるか、又はラジオもしくはテレビにおいてレコーディングを聴くかしなければ、セロハン包装されたものの中身が何であるかわからず、そのレコーディングを試聴する機会にも恵まれない。その結果、市場的に質の高い音楽が大量に購入されないまますたれていくことになる。」と記載されるから、引用発明は、レコード産業が、大衆に供給する極めて大量のレコード物について、顧客が、試聴する機会に恵まれないとの従来技術の課題の解決に関するものと認められる。
　引用発明のアナログカート機は、「各
アルバム
　しかし、一般に、レコード産業が消費者に音楽の作品を提供する形態として、音楽のジャンル、想定される顧客層などを考慮して、多数の曲をまとめた「アルバム」形式で提供することも、１、２曲程度を「シングル」形式で提供することも、普通に行われること、また、音楽の作品を「アナログ」形式で提供することも、「ディジタル」形式で提供することも、普通に行われていること、を考慮すると、引用発明において、音楽作品を「アルバム」形式に替えて「シングル」形式で提供する形態を採用することで、音楽作品を「楽曲」として提供すると共に、試聴のためのハイライト部分を、「同一の楽曲を」繰り返す、「ディジタル」形式で提供することによって、相違点１、相違点５に係る構成とすることは、当業者が容易に推考し得ることである。
　
［相違点２について］
　一般に、テレビジョン情報の伝送において、情報を「アナログ」形式で提供することも、「ディジタル」形式で提供することも、普通に行われている。
　音楽の作品を特定する情報として、「楽曲名」、「アーティスト名」は、いずれも慣用される（特開平６−１９７０８６号公報の段落【０００６】−【０００７】の「音楽番組について述べれば音声部で音楽放送中、その
曲名・アーチスト名
曲名や作曲者名など
歌手
曲名
　したがって、引用発明においてレコード選択のために表示される「オーディオメニュー（６０）」の情報項目として、音楽の作品を特定する情報として慣用される、「楽曲名」と「アーティスト名」の少なくとも一方を採用すると共に、「オーディオメニュー（６０）」を「ディジタル」形式で提供することで、相違点２に係る構成とすることは、当業者が容易に推考し得ることである。
　
［相違点３について］
　引用発明において、コンパクトディスク機（４１）〜（４６）は、「ステレオオーディオ出力」であり、カート機（３１）〜（３６）は、「モノーラルオーディオ出力」である。
　一般に、立体音響効果が得られる点で、ステレオ信号は、モノーラル信号より「高音質」といえる。
　また、引用発明において、「各アルバム選択から得られたハイライト部分の３分間試供ループ」であって、試聴のため無料で提供される「モノーラルオーディオ出力」と、「完結した音楽作品」であって、カセットやＣＤに録音後に繰り返し聴くことが想定され、有料で提供される「ステレオオーディオ出力」とは、用途が相違すると認められる。
　さらに、音声信号の伝送において、伝送帯域を有効利用するために、例えば、１６ビット情報を８ビットにビット圧縮するなどの圧縮方式により、信号を圧縮することは、普通に行われる。
　したがって、引用発明において、引用発明の「コンパクトディスク機（４１）〜（４６）」から出力されるステレオオーディオ信号を、カート機（３１）〜（３６）のモノーラルオーディオ出力より「高音質」とすると共に、所定の圧縮方式で圧縮することで、相違点３に係る構成とすることは、当業者が容易に推考し得ることである。
　
［相違点４について］
　引用発明は、「受信機（１００）の傷つき易い電子回路のすべてはシールされるため、露出し又は不正に変更されることが阻止され」るから、受信機の傷つき易い電子回路のすべてをシールすることで、回路の露出や不正な変更を阻止するものと認められる。
　引用発明に、受信機以外の同軸ケーブルによる伝送路部分等について、不正を阻止する旨の記載はない。
　しかし、一般に、伝送システムの不正阻止は、システムの一部分に限らず、伝送路を含むシステム全体について、システム脆弱性に配慮すべきことが明らかであって、伝送路を、公開「鍵（キー）」や秘密「鍵（キー）」などの暗号化手段により、盗聴等の不正から保護することが普通に行われること、上記［相違点３について］のように、「各アルバム選択から得られたハイライト部分の３分間試供ループ」であって、試聴のため無料で提供される「モノーラルオーディオ出力」と、「完結した音楽作品」であって、有料で提供される「ステレオオーディオ出力」とは、用途が相違することを考慮すれば、受信機の傷つき易い電子回路のすべてをシールする引用発明において、伝送路の不正阻止に配慮して、周知の暗号化手段を採用し、この際、有料のダウンロード用の信号を暗号化の対象とすることで、相違点４に係る構成とすることは、当業者が容易に推考し得ることである。
　
　そして、本願補正発明のように構成したことによる効果も引用発明及び周知技術から予測できる程度のものである。
　
　
５．むすび
　以上のとおり、本願補正発明は、引用発明、及び周知慣用技術に基づいて、当業者が容易に発明をすることができたものであるから、特許法第２９条第２項の規定により特許を受けることができない。
　
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
１．本願発明
　平成２０年１２月２２日付けの手続補正は上記のとおり却下されたので、本願の請求項１に係る発明は、平成２０年８月１日付手続補正書の特許請求の範囲の請求項１に記載された事項により特定されるとおりのものである。（以下、「本願発明」という。）
「複数のオーディオチャンネル放送を行うための素材として、オーディオディジタルデータを提供する複数のオーディオチャンネル素材提供手段と、
　上記オーディオチャンネル放送に関連する、少なくとも楽曲名およびアーティスト名の一方を含むオーディオ放送情報画面を形成するためディジタルデータを提供するデータ提供手段と、
　上記オーディオチャンネル素材提供手段で送信されるオーディオデータより高音質であると共に所定の圧縮方式で圧縮されたダウンロード用オーディオデータを提供するダウンロード用オーディオデータ提供手段と、
　所定のキー情報を用いて上記ダウンロード用オーディオデータを暗号化する暗号化手段と、
　上記複数のオーディオ放送を行うためのオーディオディジタルデータと、上記送信しているオーディオ放送に関連する上記オーディオ放送情報画面を形成するためのディジタルデータと、上記暗号化されたダウンロード用オーディオデータとを多重化する多重化手段と、
　上記多重化されたデータを送信する送信手段と
を備え、
　受信側において、所定の楽曲が選択された際にその楽曲に対応する上記ダウンロード用オーディオデータのダウンロードを可能とする送信装置。」
　
２．引用例
　引用例の記載については、上記「第２　２．引用発明」で述べたとおりである。
　
３．対比・判断
　本願発明は、前記「第２　１．本願補正発明」で検討した本願補正発明の「複数のオーディオチャンネル放送を行うための素材として、オーディオディジタルデータを提供する複数のオーディオチャンネル素材提供手段」について、「複数のオーディオチャンネル放送は各チャンネルにおいて所定期間同一の楽曲を繰り返して送信し」との限定を省いたものである。
　そうすると、実質的に、本願発明の構成要件をすべて含み、さらに他の構成要件を付加したものに相当する本願補正発明が、上記「第２　４．相違点についての判断」に記載したとおり、引用発明及び周知慣用技術に基づいて、当業者が容易に発明をすることができたものであるから、本願発明も同様の理由により、引用発明及び周知慣用技術に基づいて、当業者が容易に発明をすることができたものである。　
　
４．むすび
　以上のとおり、本願発明は、引用発明及び周知慣用技術に基づいて、当業者が容易に発明をすることができたものであるから、本願は、特許法第２９条第２項の規定により特許を受けることができない。
　よって、結論のとおり審決する。